(57)【特許請求の範囲】
【請求項１】
リール本体の左側板と右側板との間に回転自在に支持されたスプールと、
第１の貫通孔が形成された第１の部分と、前記第１の貫通孔よりも左右方向に幅広で前記第１の貫通孔と連続する第２の貫通孔が形成された第２の部分と、を含む釣糸案内体と、
を備え、
前記第１の貫通孔は、釣糸が前記スプールに巻き取られる際に通過する位置に形成されており、
前記第１の部分の前面が、前記スプールの回転軸の中心から前記釣糸の延伸方向に下ろした垂線に対して当該前面の全体に亘って後方に傾いている特徴とする魚釣用リール。
【請求項２】
前記第１の部分の後面が前記垂線に対して前方に傾いていることを特徴とする請求項１に記載の魚釣用リール。
【請求項３】
前記第２の部分は前記第１の部分の上端と連続して形成されることを特徴とする請求項１又は請求項２に記載の魚釣用リール。
【請求項４】
前記釣糸案内体は、前記釣糸を放出する際に第１の姿勢をとるとともに前記釣糸を巻き取る際に第２の姿勢をとるように構成され、
前記第１の部分の前面は、前記釣糸案内体が前記第２の姿勢にあるときに前記垂線に対して後方に傾いていることを特徴とする請求項１ないし請求項３のいずれか１項に記載の魚釣用リール。
【請求項５】
前記第１の部分の後面のうち前記第２の部分と連続する部分は、前記釣糸案内体が前記第１の姿勢をとったときに前記垂線に対して前方に傾いていることを特徴とする請求項４に記載の魚釣用リール。
【請求項６】
前記リール本体に設けられたハンドルと、前記ハンドルからスプールへの動力の伝達をＯＮ／ＯＦＦするクラッチ機構と、をさらに備え、
前記釣糸案内体は前記クラッチ機構がＯＮ状態のときに前記第２の姿勢をとることを特徴とする請求項４又は請求項５に記載の魚釣用リール。
【請求項７】
前記釣糸案内体は、前記左側板と前記右側板との間で前記ハンドルの回転操作に応じて往復動するように構成されたことを特徴とする請求項６に記載の魚釣用リール。
【発明の詳細な説明】
【技術分野】
【０００１】
本明細書の開示は、スプールに巻回された釣糸を案内する釣糸案内体を備えた魚釣用リールに関する。
【背景技術】
【０００２】
従来、魚釣用リールとして、左右一対の側板間に回転可能に支持されたスプールと、当該スプールに対して釣糸を均等に巻回するための釣糸案内体を有するレベルワインド機構とを備える両軸受型タイプの魚釣用リールが知られている。釣糸案内体は、ハンドルの巻き取り操作に連動して左右に往復動するように構成されるので、釣糸を釣糸案内体に挿通しておけば、ハンドルの巻き取り操作によってスプールに対して釣糸を均一に巻回することができる。
【０００３】
このような従来の魚釣用リールにおいては、釣糸放出時に釣糸に対して作用する抵抗が大きくなり、その結果、仕掛けを遠方へ飛ばすことができなくなるという問題が指摘されている。この問題に対処するために、釣糸案内体に形成される挿通孔の一部の幅を他の部分よりも幅広に形成した公知例がある（例えば、特開２０１３−２４３９９７号公報参照）。かかる釣糸案内体は、釣糸放出時に釣糸がその幅広の部分を通過するとともに釣糸巻取時には釣糸が幅狭部によってスプールに案内されるようにリール本体に取り付けられるので、釣糸放出時には釣糸案内体から釣糸へ作用する抵抗を少なくすることができるとともに、釣糸巻取時には幅狭部によって釣糸をスプールへ整然と案内することができる。
【先行技術文献】
【特許文献】
【０００４】
【特許文献１】特開２０１３−２４３９９７号公報
【発明の概要】
【発明が解決しようとする課題】
【０００５】
このような従来の釣糸案内体の挿通孔の幅狭部は、釣糸が当該幅狭部に保持されたときに左右方向に暴れないようにするために、釣糸の径よりも若干大きい幅を有するように形成される。これにより、通常時には釣糸を整然とスプールに巻き取ることができるが、釣糸に結束部ができている場合には当該結束部が幅狭部に引っ掛かりやすくなってしまう。
【０００６】
そこで、本明細書における開示の目的の一つは、スプールへの巻取時に釣糸が引っ掛かりにくい釣糸案内体を提供することである。これ以外の目的については、本明細書全体から明らかになる。
【課題を解決するための手段】
【０００７】
本発明の一実施形態に係る魚釣用リールは、リール本体の左側板と右側板との間に回転自在に支持されたスプールと、前記スプールに巻き取られる釣糸を案内するための第１の貫通孔が形成された第１の部分と、前記第１の貫通孔よりも左右方向に幅広で前記第１の貫通孔と連続する第２の貫通孔が形成された第２の部分と、を含む釣糸案内体と、を備え、前記第１の部分の前面が、前記スプールの回転軸の中心から前記釣糸の延伸方向に下ろした垂線に対して後方に傾いている。
【０００８】
当該実施形態によれば、釣糸案内体の第１の部分の前面がスプールの回転軸の中心から前記釣糸の延伸方向に下ろした垂線に対して後方に傾いているので、幅狭の第１の貫通孔を通過できない大きさの結束部が釣糸にできている場合でも、当該結束部は、当該第１の部分の前面に沿って幅広の第２の貫通孔が形成された第２の部分に案内され、当該第２の貫通孔からスプールの方向に引き抜かれる。これにより、釣糸が引っ掛かりにくい釣糸案内体が得られる。
【０００９】
本発明の一実施形態においては、前記第１の部分の後面が前記垂線に対して前方に傾いている。当該実施形態によれば、釣糸が引き出される場合にも釣糸が釣糸案内体に引っ掛かりにくくすることができる。
【発明の効果】
【００１０】
以上のように、本明細書の開示によって、スプールへの巻取時に釣糸が引っ掛かりにくい釣糸案内体を提供することができる。
【図面の簡単な説明】
【００１１】
【図１】本発明の一実施形態に係る魚釣用リールを概略的に示す平面図。図１においては、釣糸案内体が露出するように当該魚釣用リールの一部を破断して描いている。
【図２】図１の魚釣用リールのＡ−Ａ線に沿った断面図。
【図３】図１の魚釣用リールに備えられる釣糸案内体の正面図。
【図４】図３の釣糸案内体のＢ−Ｂ線に沿った断面図。図４は、釣糸の結束部が当該釣糸案内体よりも前方にあることを示している。
【図５】図３の釣糸案内体のＢ−Ｂ線に沿った断面図。図５は、釣糸の結束部が当該釣糸案内体よりも後方にあることを示している。
【図６】本発明の他の実施形態に係る魚釣用リールを概略的に示す平面図。図６においては、釣糸案内体が露出するように当該魚釣用リールの一部を破断して描いている。
【図７】図６の魚釣用リールの側面図。図７は、クラッチ機構がＯＮ状態にあることを示している。
【図８】図６の魚釣用リールの側面図。図８は、クラッチ機構がＯＦＦ状態にあることを示している。
【図９】クラッチプレートと回動プレートとの連結箇所の構造を示す断面図。
【図１０】図６の魚釣用リールのＣ−Ｃ線に沿った断面図。図１０は、クラッチ機構がＯＮ状態にあることを示している。
【図１１】図６の魚釣用リールのＣ−Ｃ線に沿った断面図。図１１は、クラッチ機構がＯＦＦ状態にあることを示している。
【図１２】図６の釣糸案内体の正面図。図１２は、釣糸Ｓが巻取時に最も下側の軌道を通過した場合の釣糸（結束部Ｔ）の位置を示している。
【図１３】図１２の釣糸案内体のＤ−Ｄ線に沿った断面図。
【発明を実施するための形態】
【００１２】
以下、本発明の様々な実施形態を適宜図面を参照して説明する。なお、複数の図面にわたって共通する構成要素には同一の参照符号が付されている。
【００１３】
図１ないし図５を参照して、本発明の一実施形態に係る魚釣用リールを説明する。まず図１及び図２を参照して本発明の一実施形態に係る魚釣用リールの概要を説明する。図１は、本発明の一実施形態に係る魚釣用リールの平面図を示し、図２は、図１の魚釣用リールのＡ−Ａ線に沿った断面図を示す。
【００１４】
図示のとおり、本発明の一実施形態に係る魚釣用リールは、リール本体１と、スプール５Ａと、ハンドル８と、動力伝達機構１０と、クラッチ機構２０と、レベルワインド機構５０と、を含む。
【００１５】
リール本体１は、左側板１Ａ及び右側板１Ｂを備える。この左側板１Ａは、左フレーム２ａと当該左フレーム２ａを覆う左カバー３ａとを備え、右側板１Ｂは、右フレーム２ｂと当該右フレーム２ｂを覆う右カバー３ｂとを備える。リール本体１は、左側板１Ａと右側板１Ｂとの間に配置されているリール脚１Ｃにより不図示の釣竿に装着される。
【００１６】
左側板１Ａと右側板１Ｂとの間には釣糸Ｓが巻回されるスプール５Ａが配置される。このスプール５Ａのスプール軸５は、左フレーム２ａ及び右フレーム２ｂに軸受を介して回転可能に支持される。このようにスプール軸が左右一対の側板に軸支されている魚釣用リールは、一般に、両軸受型リール又はベイトキャスティングリールと呼ばれる。左側板１Ａと右側板１Ｂとの間のスプール５の前方には、指を載置するためのサムレスト１Ｄが設けられてもよい。
【００１７】
右側板１Ｂには、スプール５Ａを駆動するハンドル８が設けられている。ハンドル８には、左右方向に延伸するハンドル軸８ａが固定されており、ハンドル８の回転は、このハンドル軸８Ａ及び他の動力伝達用の部材を介してスプール軸５Ａ及びレベルワインド機構５０に伝達される。
【００１８】
本発明の一実施形態における動力伝達機構１０は、右フレーム２ｂ及び右カバー３ｂにより画定される右側板１Ｂの内部空間に配置されており、ハンドル８の回転をスプール軸５に伝達するように構成される。具体的には、一実施形態に係る動力伝達機構１０は、ハンドル軸８ａの回転とともに回転する駆動歯車１１と、この駆動歯車１１に噛合するピニオン１２とを備えている。一実施形態において、ピニオン１２は、スプール軸５と同軸のピニオン軸１２ａに沿って軸方向に移動可能に設けられ、後述するクラッチ機構２０がＯＮ状態のときに当該ピニオン１２の左端がスプール軸５の右端と係合するように構成される。また、ピニオン１２の外周には、その周方向に沿って延伸する溝１２ｂが形成されている。この溝１２ｂは、後述するクラッチ機構２０のヨーク２２と係合するように構成される。図示した動力伝達機構１０は、本発明に係る魚釣用リールに適用できる動力伝達機構の一例に過ぎず、本発明に係る魚釣用リールには当業者に公知の任意の動力伝達機構を適用できる点に留意されたい。
【００１９】
本発明の一実施形態におけるクラッチ機構２０も右側板１Ｂの内部空間に配置されている。このクラッチ機構２０は、クラッチレバー２１の操作に応じてハンドル軸８ａとスプール軸５との間での動力の伝達をＯＮ／ＯＦＦするように構成される。一実施形態において、クラッチ機構２０は、右フレーム２ｂに回動可能に支持されたクラッチプレート２５と、不図示のバネ部材によってクラッチプレート２５の方向に常時付勢されているヨーク２２とを備える。ヨーク２２は、クラッチ機構２０がＯＮ状態のときにピニオン１２の溝１２ｂと係合し、ピニオン１２の左端をスプール軸５の右端と係合させるように構成される。これにより、クラッチ機構２０がＯＮ状態のときには、ハンドル軸８Ａの回転が動力伝達機構１０を介してスプール軸５に伝達される。
【００２０】
クラッチ機構２０は、クラッチレバー２１を押し下げ操作することにより、ＯＮ状態からＯＦＦ状態に切り替えられる。具体的には、クラッチレバー２１を押し下げ操作することによりクラッチプレート２５が反時計回りに回動され、このときクラッチプレート２５の表面に設けられたカム面によってヨーク２２が右側方向に押し出され、その結果、ピニオン１２がスプール軸５から離脱する。このように、クラッチレバー２１の押し下げ操作によりクラッチ機構２０がＯＦＦ状態に切り替えられると、ピニオン１２がスプール軸５から離脱し、ハンドル軸８ａとスプール軸５との間の動力伝達が遮断される。
【００２１】
クラッチ機構２０がＯＦＦ状態のときには、スプール５Ａとハンドル８との間の動力伝達が遮断されているので、スプール５Ａは自由回転することができる。したがって、キャスティングはクラッチ機構２０をＯＦＦにして行われる。一方、釣糸の巻き取りはクラッチ機構２０をＯＮにして行われる。
【００２２】
本発明の一実施形態における魚釣用リールは、ハンドル８を回転操作することにより、クラッチ機構２０をＯＦＦ状態からＯＮ状態へ復帰させる自動復帰機構を備えてもよい。図示したクラッチ機構２０は、本発明に係る魚釣用リールに適用できるクラッチ機構の一例に過ぎず、本発明に係る魚釣用リールには当業者に公知の任意のクラッチ機構を適用できる点に留意されたい。
【００２３】
本発明の一実施形態におけるレベルワインド機構５０は、スプール５Ａの前方において左側板１Ａと右側板１Ｂとの間に配置される。一実施形態において、レベルワインド機構５０は釣糸Ｓが挿通される釣糸案内体６０を備えている。この釣糸案内体６０は、ハンドル８の回転操作に応じて左右に往復動するように構成されているので、釣糸案内体６０の働きにより釣糸Ｓをスプール５Ａに均一に巻き取ることができる。
【００２４】
本発明の一実施形態におけるレベルワインド機構５０は、軸受を介して左側板１Ａと右側板１Ｂとの間に回転可能に支持される螺軸（ウォームシャフト）５１と、左側板１Ａと右側板１Ｂとの間に回動可能に保持され、内部に螺軸５１が挿通される筒状の管状体５５とを備える。一実施形態において、螺軸５１の表面には螺旋溝が形成されるとともに管状体５５には軸方向に延出する長孔５５ａが形成され、螺軸５１は、管状体５５の長孔５５ａから螺旋溝が部分的に露出されるように管状体５５に収容される。螺軸５１の右端には、ハンドル軸８ａの回転が入力される入力ギア（不図示）が設けられており、ハンドル８の回転はこの入力ギアを介して螺軸５１に入力される。
【００２５】
釣糸案内体６０は、左右方向に幅広の貫通孔６７ａが形成された先端部６０Ａと、幅狭の貫通孔６７ｂが形成されたガイド部６０Ｂと、釣糸案内体６０を管状体５５に取り付けるための取付部６０Ｃと、を備える。貫通孔６７ａと貫通孔６７ｂとは連続して形成されている。先端部６０Ａ及びガイド部６０Ｂは、ＳＵＳ、チタン等の釣糸との間での摩擦抵抗が少ない材料から形成されてもよい。
【００２６】
図３に最も分かりやすく図示されているように、先端部６０Ａの貫通孔６７ａは、ガイド部６０Ｂの貫通孔６７ｂよりも左右方向に幅広となるように形成されており、貫通孔６７ｂと連続するように下部が幅狭に形成されている。貫通孔６７ａは、貫通孔６７ｂとなだらかに連結されるように、その下方において縮幅している。貫通孔６７ａは、釣糸Ｓの放出時に当該釣糸Ｓが通過する位置に形成される。キャスティング等により釣糸Ｓを放出する場合には、スプール５Ａに釣糸Ｓが多く巻回されていることが通常であるため、スプール５Ａにおける釣糸Ｓの厚みにより釣糸Ｓは上方寄りの軌道を通過しやすい。釣糸Ｓが貫通孔６７ａを通過することにより、釣糸案内体８０と釣糸Ｓとの接触を抑制でき、これにより仕掛けの飛距離の低下を抑制することができる。釣糸Ｓが放出される際の釣糸の典型的な軌道は、図２において参照符号Ｓ１で表されている。また、図２においては、この軌道Ｓ１にスプール軸５の中心（スプール５Ａの回転軸）から下ろした垂線を参照符号Ｌ１で表している。
【００２７】
貫通孔６７ｂは、釣糸Ｓの直径よりも若干大きな左右方向の幅を有しており、釣糸Ｓをスプール５Ａへ巻き取る際に、釣糸Ｓが通過する位置に形成される。釣糸Ｓをスプール５Ａに巻き取る場合には、スプール５Ａに巻回されている糸の量が少なく、また、釣糸Ｓに取り付けられた仕掛けを水中から引き上げるため釣糸Ｓには下向きの張力が作用しやすいので、釣糸Ｓは貫通孔６７ｂを通過しやすい。この貫通孔６７ｂによって釣糸Ｓをスプール５Ａに案内することにより、釣糸Ｓの左右方向における動きを規制することができるので、釣糸Ｓを整然とスプール５Ａに巻き取ることができる。釣糸Ｓを巻き取る場合に釣糸Ｓが取り得る軌道のうち最も下側を通る軌道を図２において参照符号Ｓ２で表している。また、図２においては、この軌道Ｓ２にスプール軸５の中心（スプール５Ａの回転軸）から下ろした垂線を参照符号Ｌ２で表している。
【００２８】
本明細書においては、釣糸案内体６０のうち、軌道Ｓ２を含みスプール軸と平行な仮想平面と、釣糸Ｓが貫通孔６７ｂの上端を通過する場合の軌道（不図示）を含みスプール軸と平行な仮想平面との間に挟まれた部分をガイド部６０Ｂとする。また、釣糸案内体６０のうちガイド部６０Ｂよりも上方（先端側）にある部分を先端部６０Ａとする。さらに、釣糸案内体６０のうちガイド部６０Ｂよりも下方（基端側）にある部分を取付部６０Ｃとする。
【００２９】
一実施形態における取付部６０Ｃは、螺軸５１の表面に形成された螺旋溝と長孔５５ａを介して係合する摺動子６１を保持している。この摺動子６１は、袋ナット６２によって、取付部６０Ｃに固定される。管状体５５の外周には、その軸方向に沿って延伸する回り止め部５５ｂが形成されており、釣糸案内体６０は、取付部６０Ｃに形成された係合部（凹部）６４が回り止め部５５ｂと係合するように管状体５５に取り付けられる。このように、回り止め部５５ｂが係合部６４と係合しているので、釣糸案内体６０は、螺軸５１の回転によって管状体５５の回りで回転せずに左右に往復道することができる。
【００３０】
このように構成されたレベルワインド機構５０においては、ハンドル８を巻き取り操作することで、ハンドル軸８ａに設けられた連結ギア及びこれに噛合する入力ギアを介して螺軸５１が回転駆動される。螺軸５１が回転すると、螺軸５１の外周面に形成された螺旋溝と係合する摺動子６１が当該螺旋溝に沿って左右方向に往復運動する。このようにして、釣糸案内体６０は、ハンドル８の回転に応じて、左側板１Ａと右側板１Ｂとの間で螺軸５１に沿って左右方向に往復動することができる。
【００３１】
ここで、釣糸案内体６０について図４及び図５を参照してさらに説明する。図４及び図５は、図３の釣糸案内体のＢ−Ｂ線に沿った断面図である。図４に示すように、釣糸案内体６０のガイド部６０Ｂの前面６５は、スプール５Ａの回転軸の中心から巻き取られる釣糸Ｓの延伸方向に下ろした垂線に対して後方に傾いている。この垂線に対する前面６５の傾きを把握しやすくするため、図４には例としてスプール５Ａの回転軸の中心から軌道Ｓ２に下ろした垂線Ｌ２を示している。ガイド部６０Ｂの前面６５は、釣糸Ｓが貫通孔６７ｂを通過する際のいずれの軌道に関しても、スプール５Ａの回転軸の中心から当該軌道に下ろした垂線に対して後方に傾いている。また、図４におけるガイド部６０Ｂの前面６５は、垂線Ｌ２に対する傾きが比較的大きい第１の前面６５ａと垂線Ｌ２に対する傾きが比較的小さい第２の前面６５ｂとを有するが、第１の前面６５ａ及び第２の前面６５ｂのいずれもかかる垂線に対して後方に傾いている。
【００３２】
また、図５に示されているように、釣糸案内体６０のガイド部６０Ｂの後面６６は、スプール５Ａの回転軸の中心から貫通孔６７ｂを通過する釣糸Ｓの軌道に下ろした垂線に対して前方に傾いている。この垂線に対する後面６６の傾きを把握しやすくするため、図５には例として垂線Ｌ２を記載している。
【００３３】
上述のように構成された釣糸案内体６０を利用して釣糸Ｓをスプール５Ａに巻き取る際に、貫通孔６７ｂの左右方向の幅よりも大径の結束部Ｔが釣糸Ｓに形成されていると、当該結束部Ｔは貫通孔６７ｂを通過することができず、例えば第２の前面６５ｂに突き当たる。このとき、結束部Ｔは、図４中に点線矢印で示すように、釣糸Ｓの張力によって第２の前面６５ｂに沿って後方に引っ張られ、第２の前面６５ｂの上端まで引き上げられた後は第１の前面６５ａに沿ってさらに後方に引っ張られる。結束部Ｔが第１の前面６５ａの上端まで達すると、結束部Ｔは貫通孔６７ａから後方へ釣糸Ｓの延伸方向に沿って抜けることができる。このように、釣糸案内体６０の前面６５がスプール５Ａの回転軸の中心から釣糸巻取時の釣糸Ｓの延伸方向Ｓ２に下ろした垂線Ｌ２に対して後方に傾いているので、釣糸Ｓに結束部Ｔが形成されている場合であっても、当該結束部Ｔを釣糸案内体６０の後方に（したがって、スプール５Ａに）逃がすことができる。これにより、上述した実施形態によれば、釣糸Ｓが釣糸案内体６０に引っ掛かりにくくすることができる。
【００３４】
一方、例えば仕掛けに掛かった魚の引き等により釣糸Ｓがスプール５Ａから引き出される際にも結束部Ｔは貫通孔６７ｂを通過することができず、釣糸案内体６０の後面６６に突き当たる。後面６６に当接した結束部Ｔは、図５中に点線矢印で示すように、釣糸Ｓの張力によって後面６６に沿って前方に引っ張られる。結束部Ｔが後面６６の上端まで達すると、結束部Ｔは貫通孔６７ａから前方へ釣糸Ｓの延伸方向に沿って抜けることができる。このように、釣糸案内体６０の後面６６がスプール５Ａの回転軸の中心から貫通孔６７ｂを通過する釣糸Ｓの軌道に下ろした垂線に対して前方に傾いているので、釣糸Ｓに結束部Ｔが形成されている場合であっても、当該結束部Ｔを釣糸案内体６０の前方に逃がすことができる。したがって、本発明の上述した実施形態によれば、釣糸Ｓが引き出されるときにも、釣糸Ｓが釣糸案内体６０に引っ掛かりにくくすることができる。
【００３５】
次に、図６ないし図１３を参照して、本発明の他の実施形態に係る魚釣用リールについて説明する。図６ないし図１３に示されている魚釣用リールおいて図１ないし図５と実質的に同じ構成要素については図１ないし図５で用いられている参照符号と同じ参照符号を用いて表し、その詳細な説明は省略する。図６の魚釣用リールは、釣糸案内体の形状、及び、釣糸を案内する釣糸案内体がクラッチ機構のＯＮ／ＯＦＦに応じて回動するようにリール本体に設けられている点で図１に示した魚釣用リールと異なる。
【００３６】
まず、図６ないし図９を参照して当該魚釣用リールの概要を説明する。図６は、本発明の他の実施形態に係る魚釣用リールの平面図を示し、図７及び図８は、図６の魚釣用リールの側面図を示し、図９は、クラッチプレートと回動プレートとの連結箇所の構造を示す断面図を示す。図７の魚釣用リールではクラッチ機構がＯＮ状態にあり、図８の魚釣用リールではクラッチ機構がＯＦＦ状態にある。これらの図に示すとおり、本発明の他の実施形態に係る魚釣用リールは、リール本体１と、スプール５Ａと、ハンドル８と、動力伝達機構１０と、クラッチ機構２０と、レベルワインド機構７０と、を含む。
【００３７】
レベルワインド機構７０は、スプール５Ａの前方において左側板１Ａと右側板１Ｂとの間に配置される。一実施形態において、レベルワインド機構７０は釣糸Ｓを案内する釣糸案内体８０を備えており、ハンドル８の回転操作に応じて釣糸案内体８０を左右に往復移動させ釣糸をスプール５Ａに均一に巻き取ることができるよう構成される。
【００３８】
図７及び図８に示すように、本実施形態における魚釣用リールのクラッチプレート２５は、振り分けバネ２３によって、図７に示すクラッチＯＮ状態と、図８に示すクラッチＯＦＦ状態に振り分け保持される。このクラッチプレート２５は、右フレーム２ｂに上下方向に形成された連結孔２ｄを介して前記クラッチレバー２１と連結されており、クラッチプレート２５に形成された長孔２５ａに、右フレーム２ｂに突出するように設けられたピン２ｅが挿入されて、その回動駆動が案内されるようになっている。
【００３９】
このクラッチプレート２５の表面には、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨーク２２は、各支持ピンに配設されたバネ部材（図示せず）によって常時、クラッチプレート２５側に付勢された状態となっている。図７においては、ヨーク２２がバネ部材によってクラッチプレート２５側に付勢されている。このとき、ピニオン１２はスプール軸の端部に形成されている係合部に嵌合し、ハンドル軸８ａの回転をスプール軸５に伝達することができる。
【００４０】
クラッチレバー２１が図７に示す位置から下方に押下げられるとクラッチプレート２５が反時計回り方向に回動され、クラッチプレート２５の表面に形成されたカム面２６がヨーク２２を図６の右方向に付勢する。このヨーク２２からの付勢によってピニオン１２が図６の右方向に移動してスプール軸５から離脱する。これにより、ハンドル軸８ａとスプール軸５との間の動力伝達が遮断される。
【００４１】
また、クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えている。クラッチ機構２０がクラッチＯＦＦ状態にあるときにハンドル８を巻き取り操作すると、ラチェット３２の回転によりキック部材３１がキックされてラチェット３２の回転軌跡内に侵入し、これにより、クラッチ機構２０を自動的にクラッチＯＮ状態に復帰させることができる。このクラッチＯＮ状態は、振り分けバネ２３のバネ力で保持される。クラッチ機構２０のクラッチＯＮ状態への復帰は、クラッチレバー２１を図８の位置から図７の位置へ押し上げ操作しても行うことができる。
【００４２】
図９に示されているように、レベルワインド機構７０は、軸受７２を介して左側板１Ａと右側板１Ｂとの間に回転可能に支持される螺軸（ウォームシャフト）７１と、左側板１Ａと右側板１Ｂとの間に回動可能に保持され、内部に螺軸７１が挿通される筒状の管状体７５とを備える。一実施形態において、螺軸７１の表面には螺旋溝が形成されるとともに管状体７５には軸方向に延出する長孔７５ａが形成され、螺軸７１は、管状体７５の長孔７５ａから螺旋溝が部分的に露出されるように管状体７５に収容される。螺軸７１の右端には、ハンドル軸８ａの回転が入力される入力ギア７３が設けられており、ハンドル８の回転はこの入力ギアを介して螺軸７１に入力される。
【００４３】
ここで、クラッチ機構２０から管状体７５への動力伝達経路について説明する。図９に示されているように、クラッチプレート２５にはリール本体１の前方側に向けて突出する突片２５ｂが形成されており、その先端には右フレーム２ｂ側に向けて突出する係合突起２５ｃが形成されている。右フレーム２ｂは、軸受７２を介して螺軸７１を支持するための回動プレート７９を保持している。この回動プレート７９には、径方向に突出する凸部７９ａが形成されており、この凸部７９ａに、管状体７５の端部に形成された凹部７５ｃが嵌合することで、管状体７５が回動プレート７９に回り止め固定される。
【００４４】
回動プレート７９は、軸受７２の外輪と右フレーム２ｂとの間で回動可能に支持されている。また、右フレーム２ｂには、クラッチプレート２５の突片２５ｂと係合する連結片７９ｂが形成されている。連結片７９ｂには長孔７９ｃが形成されており、この長孔７９ｃに突片２５ｂの係合突起２５ｃが挿入される。これにより、回動プレート７９は、クラッチプレート２５の回動に伴って螺軸７１の軸芯を中心に回動される。
【００４５】
次に、レベルワインド機構７０に設けられる釣糸案内体８０について図１０ないし図１３を参照してさらに説明する。釣糸案内体８０は、前記螺軸７１が回転駆動されると、摺動子８１を介して左右側板間で往復駆動されると共に、上述したクラッチ機構２０のＯＮ／ＯＦＦに連動して螺軸７１の回りで回動するように構成されており、クラッチ機構２０がＯＮの場合には図１０（または図７）に示す起立姿勢（釣糸巻き取り姿勢）を取り、クラッチ機構２０がＯＦＦの場合には図１１（または図８）に示す仰臥姿勢（釣糸放出姿勢）を取る。
【００４６】
釣糸案内体８０は、左右方向に幅広の貫通孔が形成された先端部８０Ａと、幅狭の貫通孔８７ｃが形成されたガイド部８０Ｂと、釣糸案内体８０を管状体７５に取り付けるための取付部８０Ｃと、を備える。先端部８０Ａの貫通孔は、左右方向の延伸した貫通孔８７ａと、この貫通孔８７ａと貫通孔８７ｃとを連続するように設けられ、貫通孔８７ａよりも左右方向の幅が小さい貫通孔８７ｂとを含む。この貫通孔８７ｂは、貫通孔８７ｃよりも左右方向に幅広となるように形成されており、貫通孔８７ｃと連続するように下部が幅狭に形成されている。
【００４７】
本明細書においては、釣糸案内体８０のうち、釣糸Ｓが通る最も下方の軌道Ｓ２を含みスプール軸と平行な仮想平面と、釣糸Ｓが貫通孔８７ｃの上端を通過する場合の軌道（不図示）を含みスプール軸と平行な仮想平面との間に挟まれた部分をガイド部８０Ｂとする。また、釣糸案内体８０のうちガイド部８０Ｂよりも上方（先端側）にある部分を先端部８０Ａとする。さらに、釣糸案内体８０のうちガイド部８０Ｂよりも下方（基端側）にある部分を取付部８０Ｃとする。
【００４８】
一実施形態における取付部８０Ｃは、螺軸７１の表面に形成された螺旋溝と長孔７５ａを介して係合する摺動子８１を保持している。この摺動子８１は、袋ナット８２によって取付部８０Ｃに固定される。管状体７５の外周には、その軸方向に沿って延伸する回り止め部７５ｂが形成されている。釣糸案内体８０は、取付部８０Ｃに形成された係合部（凹部）８４が回り止め部７５ｂと係合するように管状体７５に取り付けられる。このように、回り止め部７５ｂが係合部８４と係合しているので、釣糸案内体８０は、螺軸７１の回転によって左右に移動する場合に、管状体７５の回りを回転しないように回り止めされている。かかる構成によれば、ハンドル８を巻き取り操作することで、ハンドル軸８ａに設けられた連結ギア及びこれに噛合する入力ギア７３を介して螺軸７１が回転駆動される。螺軸７１が回転すると、螺軸７１の外周面に形成された螺旋溝と係合する摺動子８１が当該螺旋溝に沿って左右方向に往復運動する。このようにして、釣糸案内体８０は、ハンドル８の回転に応じて、左側板１Ａと右側板１Ｂとの間で螺軸７１に沿って左右方向に往復動する。
【００４９】
釣糸Ｓをスプール５Ａに巻き取る場合には、クラッチ機構２０がクラッチＯＮ状態にあるため、釣糸案内体８０は図１０（図７も同様）に示す仰臥姿勢を取る。釣糸案内体８０が仰臥姿勢を取ると、起立姿勢の場合よりも先端部８０Ａの上壁８９が釣糸Ｓの軌道に上方から近づくため、この上壁８９によって釣糸Ｓの上方への移動を規制し、釣糸Ｓを貫通孔８７ｃに誘導しやすくなる。釣糸案内体８０は、仰臥姿勢にあるとき、上壁８９が釣糸Ｓに上側から当接するように構成されてもよい。かかる構成によれば、上壁８９により釣糸Ｓを貫通孔８７ｃに確実に誘導することができる。
【００５０】
キャスティング等により釣糸Ｓを放出する場合には、クラッチレバー２１を図１０に示す位置から図１１に示す位置に押し下げて、クラッチ機構２０をクラッチＯＦＦ状態にする。クラッチレバー２１が押し下げられると、上述したように、釣糸案内体８０は、螺軸７１の回りで回動され、図１１に示す起立姿勢を取る。釣糸Ｓの繰り出し方向に垂直な面に投影した挿通孔８７の断面積は、釣糸案内体８０が起立姿勢にあるときに仰臥姿勢にあるときよりも大きくなるので、釣糸案内体８０を図１１に示す起立姿勢に保持して釣糸Ｓを放出することにより、釣糸Ｓと釣糸案内体８０との接触により仕掛けの飛距離が低下することを防止できる。
【００５１】
ここで、釣糸案内体８０について図１３を参照してさらに説明する。図１３は、図１２の釣糸案内体８０のＤ−Ｄ線に沿った断面図である。図１３に示すように、釣糸案内体８０のガイド部８０Ｂの前面８５は、スプール５Ａの回転軸の中心から貫通孔８７ｃを通過する釣糸Ｓの軌道に下ろした垂線に対して後方に傾いている。この垂線に対する前面８５の傾きを把握しやすくするため、図１３には例として垂線Ｌ２を記載している。
【００５２】
釣糸Ｓを釣糸案内体８０で案内してスプール５Ａに巻き取る際には、貫通孔８７ｃの左右方向の幅よりも大径の結束部Ｔが釣糸Ｓに形成されていると、当該結束部Ｔは貫通孔８７ｃを通過することができず前面８５に突き当たる。このとき、結束部Ｔは、図１３中に点線矢印で示すように、釣糸Ｓの張力によって前面８５に沿って後方に引っ張られ、結束部Ｔが前面８５の上端まで達すると、結束部Ｔは第２の貫通孔８７ｂから後方へ釣糸Ｓの延伸方向に沿って抜けることができる。このように、釣糸案内体８０の前面８５がスプール５Ａの回転軸の中心から釣糸巻取時の釣糸Ｓの軌道に下ろした垂線に対して後方に傾いているので、釣糸Ｓに結束部Ｔが形成されている場合であっても、当該結束部Ｔを釣糸案内体８０の後方に（したがって、スプール５Ａに）逃がすことができる。したがって、本発明の上述した実施形態によれば、釣糸Ｓが釣糸案内体８０に引っ掛からないようにすることができる。
【００５３】
本発明の実施形態は、上述した実施形態に限定されるものではなく、その要旨を逸脱しない範囲内で様々な変更が可能である。例えば、上述した実施形態における各部材の材質、形状、寸法、形態、数、又は配置等は適宜変更され得る。
【符号の説明】
【００５４】
１  リール本体
１Ａ  左側板
１Ｂ  右側板
５  スプール軸
５Ａ  スプール
２０  クラッチ機構
５０、７０  レベルワインド機構
５５  管状体
６０、８０  釣糸案内体
６０Ｂ、８０Ｂ  ガイド部
６５、８５  釣糸案内体のガイド部の前面
６６  釣糸案内体のガイド部の後面
【図１】
0006298760.tif 000002
【図２】
0006298760.tif 000003
【図３】
0006298760.tif 000004
【図４】
0006298760.tif 000005
【図５】
0006298760.tif 000006
【図６】
0006298760.tif 000007
【図７】
0006298760.tif 000008
【図８】
0006298760.tif 000009
【図９】
0006298760.tif 000010
【図１０】
0006298760.tif 000011
【図１１】
0006298760.tif 000012
【図１２】
0006298760.tif 000013
【図１３】
0006298760.tif 000014